(57)【要約】【課題】  トイレットペーパーの無駄な消費を減少させることができ、かつ切断時の使い勝手が良く利便性に優れたトイレットペーパーホルダーのペーパー引出し装置を提供することを目的とする。【解決手段】  ロール状のトイレットペーパー１を回転自在に支承し、その先端１ａを下方へ引き出し可能に保持されて成るトイレットペーパーホルダーＡにおいて、トイレットペーパー１下方に、引き出されたペーパー先端部１ａを下方へ押し出すための一対の回転ローラ４、４を近接配置すると共に、当該回転ローラ４、４の一側にそれらローラを内向きに回転させるための手動ハンドル５を設け、かつそれら回転ローラ４、４下方にローラから下方に押し出されたトイレットペーパー１を所定の長さに切断するための切断部８を設けて成る。【選択図】          図３
0003111331.tif 000002
【実用新案登録請求の範囲】
【請求項１】
ロール状のトイレットペーパーを回転自在に支承し、その先端を下方へ引き出し可能に保持されて成るトイレットペーパーホルダーにおいて、トイレットペーパー下方に、引き出されたペーパー先端部を圧着しつつ下方へ押し出すための一対の弾性回転ローラを近接配置すると共に、当該回転ローラの一側にそれらローラを内向きに回転させるための手動ハンドルを設け、かつそれら回転ローラ下方にローラから下方に押し出されたトイレットペーパーを所定の長さに切断するための切断部を設けたことを特徴とするトイレットペーパーホルダーのペーパー引出し装置。
【考案の詳細な説明】
【技術分野】
【０００１】
本考案は、トイレットペーパーホルダーのペーパー引出し装置に関する。
【背景技術】
【０００２】
従来のトイレットペーパーホルダーは、ロール状のトイレットペーパーの中心孔を回転自在に支承する軸と、その正面側に上端で蝶持され、下側が開閉自在となっているカバーが設けられ、このカバー下縁にトイレットペーパー切断部としての歯が設けられた構成となっている。
【０００３】
そして、使用に際しては、トイレットペーパーの先端を引っ張って引き出した後、カバー下縁の歯に押し当てて所定の長さ分だけ切断するものとなっている。
【特許文献１】特になし
【考案の開示】
【考案が解決しようとする課題】
【０００４】
しかしながら、従来のトイレットペーパーホルダーは、トイレットペーパーの先端を引っ張って引き出した後適当と思われる長さに切断するものであるから、そのつど切断される長さが異なる。而して、往往にして必要以上引き出してしまいがちであり、その結果トイレットペーパーの無駄が多くなりやすいものである。
【０００５】
また、トイレットペーパーの切断に際しては、片方の手でカバー下縁に設けられた歯にトイレットペーパーを下から上へ押し当てるものであるから、残りの手でカバーを押し上げられないように押えることが必要となり、使い勝手が良くなく利便性に欠けるものとなっている。
【０００６】
本考案は、前記した従来の技術が有する問題点に鑑みなされたもので、トイレットペーパーの無駄な消費を減少させることができ、かつ切断時の使い勝手が良く利便性に優れたトイレットペーパーホルダーのペーパー引出し装置を提供することを目的とする。
【課題を解決するための手段】
【０００７】
前記目的を達成するために、本考案に係るトイレットペーパーホルダーのペーパー引出し装置は、ロール状のトイレットペーパーを回転自在に支承し、その先端を下方へ引き出し可能に保持されて成るトイレットペーパーホルダーにおいて、トイレットペーパー下方に、引き出されたペーパー先端部を圧着しつつ下方へ押し出すための一対の弾性回転ローラを近接配置すると共に、当該回転ローラの一側にそれらローラを内向きに回転させるための手動ハンドルを設け、かつそれら回転ローラ下方にローラから下方に押し出されたトイレットペーパーを所定の長さに切断するための切断部を設けたことを特徴とする。
【考案の効果】
【０００８】
本考案は、以上のとおり構成されるものであるから、手動ハンドルの操作によって常に一定長さ（必要分）のトイレットペーパーを引き出すことができ、その結果、トイレットペーパーの無駄な消費を可及的に防ぐことができるものである。
【０００９】
また、切断に際しては、一対の回転ローラの間から引き出されたトイレットペーパーの先端をローラ下方の固定した切断部に押し当てればよく、片手操作で極めて容易に切断することができるため、使い勝手が良く利便性に優れている。
【００１０】
さらに、本引出し装置は従来のトイレットペーパーホルダーの下部にセットすることも可能であるから経済性にも優れている。
【考案を実施するための最良の形態】
【００１１】
以下、図面を参照して本考案を実施するための最良の一形態を詳細に説明すると、図において示される符号Ａは、ロール状のトイレットペーパー１を回転自在に支承し、その先端１ａを下方へ引き出すよう保持されて成るトイレットペーパーホルダーである。
【００１２】
すなわち、このトイレットペーパーホルダーＡは、矩形箱型のケース２内部にロール状のトイレットペーパー１の収納空間２ａを有し、この収納空間２ａ上方中央におけるケース２の側板２ｂ、２ｂにロール状のトイレットペーパー１の中心孔１ｂを回転自在に支承する軸３を架設して構成されている。
【００１３】
また、前記ケース２内部の収納空間２ａの下側にトイレットペーパー引出し装置Ｂ、すなわち軸３に回転自在に支承されているトイレットペーパー１の引き出された先端１ａを下方へ押し出すための一対の弾性回転ローラ４、４が近接した状態で対向配置されている。尚、各弾性回転ローラ４、４としては若干のクッション性を備えたゴムローラが好適である。
【００１４】
そしてまた、一方の弾性回転ローラ４の一端面には、当該ローラを回転させるための手動ハンドル５がローラ軸４ａに連結固定されることによって設けられている。
【００１５】
さらに、各弾性回転ローラ４、４のローラ軸４ａ、４ａの突出両端にはプーリ６、６がそれぞれ固着して設けられ、対設された両プーリ６、６間には、両弾性回転ローラ４、４が互いに内向きに回転するようにそれぞれ環状ベルト７、７がたすき掛けされることによって設けられている。
【００１６】
而して、これら環状ベルト７としてはゴムベルトが適しており、これによって対向状態に近接配置された一対の弾性回転ローラ４、４によってトイレットペーパー１が常時圧着されるため当該回転ローラ４、４がスリップするのを防止することができる。その結果、手動ハンドル５の回転に伴うトイレットペーパー１の引き出し量をコンスタントに維持することが可能となる。
【００１７】
さらにまた、前記弾性回転ローラ４、４の下方には、下方に押し出されたトイレットペーパー１の先端部１ａを所定の長さ（一回の使用分）に切断する切断部８が設けられている。
【００１８】
而して、この切断部８は、ケース２の底板２ｃにトイレットペーパー１の先端１ａを下方へ引き出すための開口部９を設け、この開口部側の底板２ｃ端縁にトイレットペーパー１切断用のギザ状の歯部８ａを設けることによって形成されている。
【００１９】
ケース２の正面板２ｄは、その上端が背板２ｅ上端に蝶番１０にて開閉自在に支持されており、これによってトイレットペーパー１の交換や弾性回転ローラ４、４の清掃、交換等を容易ならしめている。
【００２０】
而して、図１ないし図４に示すペーパー引出し装置ＢはトイレットペーパーホルダーＡと一体に構成されているが、図５に示すようにペーパー引出し装置Ｂのみを構成し、これを既設のトイレットペーパーホルダー下方にセットするようにしてもよい。
【００２１】
使用に際しては、例えば図２、図３に示したように、トイレットペーパーホルダーＡにセットされたトイレットペーパー１の先端１ａを弾性回転ローラ４、４間を通してケース２の底板２ｃに設けられた開口部９から吊下させておく。
【００２２】
この状態でケース２の側板２ｂに突出して設けられた手動ハンドル５を図３に示す矢印方向に回転させると、たすき掛けされたベルト７、７を介してプーリ６、６が互いに内向きに回転し、これによって近接配置された弾性回転ローラ４、４も同様に内向きに回転する。
【００２３】
そして、例えば手動ハンドル５を一回転させると、これに応じてトイレットペーパー１の先端１ａが所定の長さ（一回分の使用量）がケース２の開口部９の下方へ押し出されるため、先端１ａを手に持って底板２ｃ側へ引っ張れば、底板２ｃの端面に設けられた切断部８のギザ状の歯部８ａによって所定の長さのトイレットペーパー１が切断される。
【００２４】
トイレットペーパー１の使用量を増やすためには手動ハンドル５を、例えば二回転、三回転させる。
尚、トイレットペーパー１としては、ミシン目を入れたロール状のトイレットペーパー１を用いてもよいことは勿論である。また、トイレットペーパー１を２個以上セットし、それらを重合しつつ弾性回転ローラ４、４から同時に引き出し、切断部８で所定の長さの二枚重ね、あるいは三枚重ね等に切断するようにしてもよい。
【図面の簡単な説明】
【００２５】
【図１】本考案に係るトイレットペーパーホルダーの引出し装置の一例を示す正面図である。
【図２】同上におけるＡ−Ａ矢視断面図である。
【図３】同上におけるＢ−Ｂ矢視断面図である。
【図４】同上におけるＣ−Ｃ矢視断面図である。
【図５】同上引出し装置の他例を示す斜視図である。
【符号の説明】
【００２６】
Ａ    トイレットペーパーホルダー
Ｂ    トイレットペーパー引出し装置
１    ロール状のトイレットペーパー
１ａ  その先端
１ｂ  中心孔
２    ケース
２ａ  空間
２ｂ  側板
２ｃ  底板
２ｄ  正面板
２ｅ  背板
３    軸
４    弾性回転ローラ
４ａ  ローラ軸
５    手動ハンドル
６    プーリ
７    ベルト
８    切断部
８ａ  歯部
９    開口部
１０  蝶番
【図１】
0003111331.tif 000003
【図２】
0003111331.tif 000004
【図３】
0003111331.tif 000005
【図４】
0003111331.tif 000006
【図５】
0003111331.tif 000007